(57)【要約】【課題】ランプユニット交換時に、本体を起動することなく、装着したランプユニットが未使用か使用済みかを判定してユーザーに報知できるプロジェクターを提供する。【解決手段】プロジェクター１は、ランプユニットカバー検出部３３によりランプユニットカバー３１が開放されていることを検出した場合に、ランプユニット１１のヒューズ１１１の導通状態をヒューズ導通状態検出部３２が検出し、ヒューズ導通状態検出部３２による検出結果に基づき、ランプ状態報知部３０が、光源１１０が未使用か否かの状態を報知する。【選択図】図２
2012215758.tif 000002
【特許請求の範囲】
【請求項１】
光源から射出された光を画像情報に応じて変調して投写する画像投写部を備えたプロジェクターであって、
光源、および前記光源の初回点灯時に溶断されるヒューズを有するランプユニットと、
前記ヒューズが導通状態であるか否かを検出するヒューズ導通状態検出部と、
前記ランプユニットが収容される部分を覆うためのランプユニットカバーと、
前記ランプユニットカバーの開閉状態を検出するランプユニットカバー検出部と、
前記光源が未使用か否かを表示するランプ状態報知部と、
当該プロジェクターの動作を制御する制御部と、を備え、
前記制御部は、
前記ランプユニットカバー検出部により、前記ランプユニットカバーが開放されていることを検出した場合に、前記ヒューズ導通状態検出部によって検出された前記ヒューズの導通状態の検出結果に基づき、前記ランプ状態報知部に前記光源が未使用か否かの状態を報知させることを特徴とする、プロジェクター。
【請求項２】
請求項１に記載のプロジェクターであって、
前記ランプユニットが装着されているか否かのランプユニット装着検出部をさらに備え、
前記ランプ状態報知部は前記ランプユニットが装着されているか否かをさらに報知することを特徴とする、プロジェクター。
【請求項３】
光源から射出された光を画像情報に応じて変調して投写する画像投写部と、
光源、および前記光源の初回点灯時に溶断されるヒューズを有するランプユニットと、を備えたプロジェクターの制御方法であって、
前記光源が未使用か否かを表示するランプ状態報知部と、
前記ランプユニットが収容される部分を覆うためのランプユニットカバーと、を備え、
前記ランプユニットカバーの開閉状態を検出するランプユニットカバー検出ステップと、
前記ヒューズが導通状態であるか否かを検出するヒューズ導通状態検出ステップと、
前記ランプユニットカバーが開放されていることを検出した場合に、前記ヒューズ導通状態検出部によって検出された前記ヒューズの導通状態の検出結果に基づき、前記ランプ状態報知部に前記光源が未使用か否かの状態を報知させるランプチェックステップと、を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
従来、プロジェクターにおいて、ランプユニットに、未使用時には導通状態で、初回点灯時に溶断させるヒューズを搭載することで、使用済みか未使用品かを判断できるものが使われている。このようなプロジェクターでは、ランプユニット交換後、電源をオンし、ヒューズが導通状態ならば未使用品とわかるので、ヒューズを溶断するための電流を流し、ヒューズを溶断することで、以後は装着されたランプユニットが使用済みとなる。しかし、単にランプユニットが未使用品か、使用済みかのみを知りたい場合においても、装着後、起動することでヒューズが溶断され、以後は使用済みとなってしまうという問題があった。
特許文献１には、ヒューズを溶断することなく、ランプユニットが未使用品か否かを判定できるプロジェクターが開示されている。
【先行技術文献】
【特許文献】
【０００３】
【特許文献１】特開２０１０−２４４６９号公報
【発明の概要】
【発明が解決しようとする課題】
【０００４】
しかしながら、特許文献１のプロジェクターでは、ランプユニットが使用済みか未使用品かを判定するために、ランプユニットを交換後、プロジェクター本体を起動し、点灯するまで待たねばならない。また、次のランプユニットを調べたい場合は電源をオフし、点灯したランプが交換可能な温度に下がるまで待たなければならず、複数のランプユニットについて、使用済みか未使用品かを判定するために時間がかかってしまうという課題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を画像情報に応じて変調して投写する画像投写部を備えたプロジェクターであって、光源、および前記光源の初回点灯時に溶断されるヒューズを有するランプユニットと、前記ヒューズが導通状態であるか否かを検出するヒューズ導通状態検出部と、前記ランプユニットが収容される部分を覆うためのランプユニットカバーと、前記ランプユニットカバーの開閉状態を検出するランプユニットカバー検出部と、前記ランプが未使用か否かを表示するランプ状態報知部と、当該プロジェクターの動作を制御する制御部と、を備え、前記制御部は、前記ランプユニットカバー検出部により、前記ランプユニットカバーが開放されていることを検出した場合に、前記ヒューズ導通状態検出部によって検出された前記ヒューズの導通状態の検出結果に基づき、前記ランプ状態報知部に前記光源が未使用か否かの状態を報知させることを特徴とする。
【０００７】
本適用例によれば、ランプユニットカバーの開放を検出し、ランプユニットを検出することで、ヒューズの導通状態を検出してランプ状態報知部により報知する。これにより、プロジェクター本体を起動することなく、装着したランプユニットが使用済みか、未使用品であるかを判断することが可能となる。
【０００８】
［適用例２］上記適用例に記載のプロジェクターにおいて、前記ランプユニットが装着されているか否かのランプユニット装着検出部をさらに備え、前記ランプ状態報知部は前記ランプユニットが装着されているか否かをさらに報知することを特徴とする。
【０００９】
本適用例によれば、ランプユニットが装着されているか否かを検出して、ランプ状態報知部により報知するので、ランプユニットの装着が不完全なことによる、ヒューズの導通状態が正しく取得できない状態を回避することが可能となる。
【００１０】
［適用例３］本適用例に係るプロジェクターの制御方法は、光源から射出された光を画像情報に応じて変調して投写する画像投写部と、光源、および前記光源の初回点灯時に溶断されるヒューズを有するランプユニットと、を備えたプロジェクターの制御方法であって、前記光源が未使用か否かを表示するランプ状態報知部と、前記ランプユニットが収容される部分を覆うためのランプユニットカバーとを備え、前記ランプユニットカバーの開閉状態を検出するランプユニットカバー検出ステップと、前記ヒューズが導通状態であるか否かを検出するヒューズ導通状態検出ステップと、前記ランプユニットカバーが開放されていることを検出した場合に、前記ヒューズ導通状態検出部によって検出された前記ヒューズの導通状態の検出結果に基づき、前記ランプ状態報知部に前記光源が未使用か否かの状態を報知させるランプチェックステップと、を有することを特徴とする。
【００１１】
本適用例によれば、ランプユニットカバーの開放を検出し、ランプユニットを検出することで、ヒューズの導通状態を検出してランプ状態報知部により報知する。これにより、プロジェクター本体を起動することなく、装着したランプユニットが使用済みか、未使用品であるかを判断することが可能となる。
【図面の簡単な説明】
【００１２】
【図１】プロジェクターの斜視図であり、（ａ）はプロジェクターを背面から見た図、（ｂ）はランプユニット周辺を部分的に示す図。
【図２】プロジェクターの回路構成を示すブロック図。
【図３】プロジェクターがランプユニットカバーの開放を検出したときの動作を示すフローチャート。
【発明を実施するための形態】
【００１３】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１４】
（第１実施形態）
図１（ａ）に示すように、本実施形態のプロジェクター１は、装置本体が筐体２によって覆われた構成になっている。筐体２は、上面２ｔ、前面（不図示）、背面２ｂ、右側面２ｒ、左側面（不図示）などから構成されている。
【００１５】
筐体２の上面２ｔには、ユーザーにより入力操作が行われる複数の操作キーを備えた入力操作部２３が備えられている。
筐体２の背面２ｂには、複数の入力端子を持つ画像信号入力部５と、電源端子６が備えられている。
筐体２の右側面２ｒの内側にはランプユニット１１が交換可能に備えられており、ランプユニットカバー３１により覆われている。
【００１６】
図１（ｂ）はランプユニット１１の周辺を部分的に示す図である。図１（ｂ）に示すように、筐体２の右側面２ｒに備えられたランプユニットカバー３１を開放すると、ランプユニット１１が装着されており、ランプユニット１１の近傍にはランプ状態報知部３０が備えられている。
なお、筐体２の右側面２ｒの内側にはランプユニットカバー３１の開閉状態を検出する、ランプユニットカバー検出部３３、及びランプユニット１１の装着状態を検出するランプユニット装着検出部３４が備えられている（いずれも図示せず）。
【００１７】
図２は、本実施形態のプロジェクター１の回路構成を示すブロック図である。
図２に示すように、プロジェクター１は、画像投写部１０、制御部２０、記憶部２１、光源制御部２２、入力操作部２３、画像信号入力部５、画像信号処理部３、ＯＳＤ処理部４、ランプ状態報知部３０、ヒューズ導通状態検出部３２、ランプユニットカバー検出部３３、ランプユニット装着検出部３４、電源端子６、電源部７等で構成されており、これらは筐体２（図１）の内部に収容されている。
【００１８】
画像投写部１０は、ランプユニット１１、光変調装置としての３つの液晶ライトバルブ１２Ｒ、１２Ｇ、１２Ｂ、投写光学系としての投写レンズ１３、液晶駆動部１４等を含んでいる。画像投写部１０は、ランプユニット１１から射出された光を、液晶ライトバルブ１２Ｒ、１２Ｇ、１２Ｂで変調し、投写レンズ１３から投写することによってスクリーンＳＣ等に画像を表示する。
【００１９】
ランプユニット１１は、筐体２から取り外し可能に備えられており、光源１１０と、ヒューズ１１１とを含んで構成されている。光源１１０は、超高圧水銀ランプやメタルハライドランプ等からなる放電型の光源ランプ１１０ａと、光源ランプ１１０ａが放射した光を液晶ライトバルブ１２Ｒ、１２Ｇ、１２Ｂ側に反射するリフレクター１１０ｂとを含んで構成される。
光源１１０から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２０】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
液晶駆動部１４が、入力される画像情報に応じた駆動電圧を各画素に印加すると、各画素は、画像情報に応じた光透過率に設定される。このため、光源１１０から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２１】
ヒューズ１１１は、ランプユニット１１内に溶断可能に備えられており、導通状態の場合は未使用品、溶断されている場合は使用済みであることを表し、後述するヒューズ導通状態検出部３２により、導通状態の検出、及び溶断がされる。
【００２２】
上記実施形態では、光源として光源ランプ１１０ａを用いて投写するプロジェクター１を例示したが、本発明は、光源としてＬＥＤ（Light emitting diode）光源やレーザー光源などを用いて投写するプロジェクターにも適用することができる。
なお、上記実施形態では、画像投写部１０は、光源１１０を含むランプユニット１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２３】
制御部２０は、図示しないＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。
【００２４】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
【００２５】
入力操作部２３は、ユーザーがプロジェクター１に対して各種指示を行うための複数の操作キーを備えている。入力操作部２３が備える操作キーとしては、電源のオン・オフを交互に切り替えるための電源キーや、画像信号入力部５に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。
【００２６】
ユーザーが入力操作部２３の各種操作キーを操作すると、入力操作部２３は、ユーザーの操作内容に応じた操作信号を制御部２０に出力する。なお、入力操作部２３は、リモートコントローラー（リモコン）信号受信部（図示せず）と遠隔操作が可能なリモートコントローラー（図示せず）を有した構成としてもよい。
この場合、リモートコントローラーは、使用者の操作内容に応じた赤外線等の操作信号を発し、リモコン信号受信部がこれを受信して制御情報として制御部２０に伝達する。
【００２７】
画像信号入力部５は、上述したように複数の画像入力端子を備えており、各画像入力端子より、ビデオ再生装置やパーソナルコンピューター等、外部の画像出力装置から、図示しないケーブルを介して画像情報が入力される。
【００２８】
画像信号処理部３は、画像信号入力部５から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００２９】
ＯＳＤ処理部４は、制御部２０の指示に基づいて、投写画像上に、メニュー画像やメッセージ画像等のＯＳＤ（オンスクリーンディスプレイ）画像を重畳して表示するための処理を行う。ＯＳＤ処理部４は、図示しないＯＳＤメモリーを備えており、ＯＳＤ画像を形成するための図形やフォント等を表すＯＳＤ画像情報を記憶している。
【００３０】
制御部２０が、ＯＳＤ画像の重畳表示を指示すると、ＯＳＤ処理部４は、必要なＯＳＤ画像情報をＯＳＤメモリーから読み出し、投写画像上の所定の位置にＯＳＤ画像が重畳されるように、画像信号処理部３から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部４は、画像信号処理部３から入力される画像情報を、そのまま液晶駆動部１４に出力する。
【００３１】
液晶駆動部１４は本実施形態における画像形成部であり、ＯＳＤ処理部４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３２】
電源部７には、電源端子６を介してＡＣ１００Ｖ等の電力が外部から供給される。電源部７は、入力した電力（交流電力）を所定の直流電力に変換して、プロジェクター１の各部に電力を供給する。また、電源部７は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３３】
光源制御部２２は、制御部２０の指示に基づいて、光源１１０に対する電力の供給と停止とを制御し、光源１１０の点灯、及び消灯を切り替える。
【００３４】
ランプ状態報知部３０は、ＬＥＤ（発光ダイオード）やブザーなどで構成され、制御部２０の指示に基づいて、ランプユニット１１が未使用品か、使用済みか、ランプユニット１１が装着されているか、の情報をその表示状態または音声鳴動状態を切り替えることにより、ユーザーに報知する。
【００３５】
ヒューズ導通状態検出部３２は、ヒューズ１１１の導通状態を検出し、制御部２０に通知する。また、ヒューズ導通状態検出部３２は、ヒューズ溶断部としても動作する。プロジェクター１が起動し、ヒューズ導通状態検出部３２により、ヒューズ１１１の導通状態を調べ、導通している場合は新品のランプユニット１１が装着されたと判断し、ヒューズ１１１に溶断電流を流して溶断させる。
【００３６】
ランプユニットカバー検出部３３は、メカスイッチなどで構成され、ランプユニットカバー３１の開閉状態を検出し、制御部２０に通知する。
【００３７】
ランプユニット装着検出部３４は、メカスイッチなどで構成され、ランプユニット１１の装着状態を検出し、制御部２０に通知する。
【００３８】
次に、本実施形態のプロジェクター１の動作を図３のフローチャートを用いて説明する。図３はプロジェクター１がスタンバイ中にランプユニットカバー３１の開放を検出したときの動作を示すフローチャートである。
【００３９】
図３に示すように、プロジェクター１のスタンバイ中に、ランプユニットカバー検出部３３により、ランプユニットカバー３１の開放を検出すると（ステップＳ１０１：ランプユニットカバー検出ステップに相当する。）、ステップＳ１０２に遷移する。
【００４０】
ステップＳ１０２において制御部２０は、ランプユニット装着検出部３４の検出結果に基づき、ランプユニット１１が装着されているか否かを調べる。ランプユニット１１が装着されている場合（ステップＳ１０２：Ｙ）、ステップＳ１０３に遷移する。ランプユニット１１が装着されていない場合（ステップＳ１０２：Ｎ）、ステップＳ１０５に遷移する。
【００４１】
ステップＳ１０３において制御部２０は、ヒューズ導通状態検出部３２により、ヒューズ１１１の導通状態を取得し（ヒューズ導通状態検出ステップに相当する。）、ランプユニット１１が未使用か使用済みかの情報をランプ状態報知部３０により報知し（ステップＳ１０４：ランプチェックステップに相当する。）、ステップＳ１０６に遷移する。
具体的にはＬＥＤの表示色、点滅パターン、ブザー音の鳴動パターンなどにより報知する。
【００４２】
ステップＳ１０５において制御部２０は、ランプユニット１１が未装着である旨の情報をランプ状態報知部３０により報知し、ステップＳ１０６に遷移する。
【００４３】
ステップＳ１０６において制御部２０は、ランプユニットカバー３１が閉鎖されているか否かを調べる。ランプユニットカバー３１が閉鎖されている場合（ステップＳ１０６：Ｙ）、ステップＳ１０７に遷移する。ランプユニットカバー３１が閉鎖されていない、即ち開放されている場合（ステップＳ１０６：Ｎ）、ステップＳ１０２に遷移する。
【００４４】
ステップＳ１０７において制御部２０は、ランプ状態報知部３０による報知を終了させ、ステップＳ１０８に遷移する。
【００４５】
ステップＳ１０８において制御部２０はプロジェクター１をスタンバイ状態に移行させ、本動作フローを終了する。
【００４６】
以上説明したように、本実施形態のプロジェクター１によれば、ランプユニットカバー３１を開放した場合、ヒューズ１１１が導通しているか、即ちランプユニット１１が新品か、またはヒューズ１１１が溶断されているか、即ちランプユニット１１が使用済みか否かをランプ状態報知部３０により、報知する。これにより、プロジェクター１本体を起動することなく、装着したランプユニット１１が使用済みか、未使用品であるかを判断することが可能となる。
【００４７】
また、ランプユニット装着検出部３４により、ランプユニット１１が装着されているか否かをランプ状態報知部３０により報知する。これにより、ランプユニット１１の装着が不完全なことによる、ヒューズ１１１の導通状態が正しく取得できない状態を回避することが可能となる。
【００４８】
（変形例１）
また、上記実施形態は、以下のように変更してもよい。
上述した実施形態においては、ランプ状態報知部３０は筐体２内部の、ランプユニット１１の近傍に備えられているが、筐体２の上面２ｔの入力操作部２３の近傍に配置し、プロジェクター１の動作状態報知部を兼ねてもよい。
【符号の説明】
【００４９】
１…プロジェクター、２…筐体、３…画像信号処理部、４…ＯＳＤ処理部、５…画像信号入力部、６…電源端子、７…電源部、１０…画像投写部、１１…ランプユニット、１１０…光源、１１１…ヒューズ、１２Ｒ，１２Ｇ，１２Ｂ…液晶ライトバルブ、１３…投写レンズ、１４…液晶駆動部、２０…制御部、２１…記憶部、２２…光源制御部、２３…入力操作部、３０…ランプ状態報知部、３１…ランプユニットカバー、３２…ヒューズ導通状態検出部、３３…ランプユニットカバー検出部、３４…ランプユニット装着検出部。
【図１】
2012215758.tif 000003
【図２】
2012215758.tif 000004
【図３】
2012215758.tif 000005